(57)【特許請求の範囲】
【請求項１】
中心に開口部を有する放熱性の台座と、
前記台座の一面側に配置され、前記台座の開口部と連通する開口部と、当該開口部周りに形成された配置片とを有する可撓性の基板と、
前記配置片の一面側に配置され、被撮像体に向けて光を照射する光源と、
前記台座の開口部の中心軸と同軸に配置され、前記被撮像体からの光像を前記台座の開口部の奥で撮像する撮像手段と、を備え、
前記台座の一面側は、前記台座の開口部を底部とする凹部が形成されるような傾斜面となっており、
前記配置片が前記傾斜面に沿って固定されることにより、前記光源の光軸が前記台座の開口部の中心軸と交差していることを特徴とする撮像装置。
【請求項２】
前記基板は、複数の配置片と、これらの配置片を前記基板の開口部の縁で連結する連結部と、を有していることを特徴とする請求項１記載の撮像装置。
【請求項３】
前記台座は、角度の異なる複数の傾斜面を有していることを特徴とする請求項１又は２記載の撮像装置。
【請求項４】
前記角度の異なる傾斜面は、前記台座の開口部周りに同心円状に配置されていることを特徴とする請求項３記載の撮像装置。
【請求項５】
前記角度の異なる傾斜面は、前記台座の開口部周りに周方向に配置されていることを特徴とする請求項３又は４記載の撮像装置。
【請求項６】
前記台座と前記基板とは、熱伝導性を有する接着テープによって固定されていることを特徴とする請求項１〜５のいずれか一項記載の撮像装置。
【請求項７】
前記撮像手段は、撮像を行う撮像素子と、前記撮像素子のフォーカスを調整するフォーカスレンズとを有し、
前記フォーカスレンズの位置を検出するレンズ位置検出手段と、
前記レンズ位置検出手段の検出結果に基づいて、角度の異なる傾斜面に配置された光源間のオン・オフを切り替える光源切替手段と、を備えたことを特徴とする請求項２〜６のいずれか一項記載の撮像装置。
【請求項８】
中心に開口部を有する放熱性の台座と、
前記台座の一面側に配置され、前記台座の開口部と連通する開口部と、当該開口部周りに形成された配置片とを有する可撓性の基板と、
前記配置片の一面側に配置され、被撮像体に向けて光を照射する光源と、
前記台座の開口部の中心軸と同軸に配置され、前記被撮像体からの光像を前記台座の開口部の奥で撮像する撮像手段と、を備えた撮像装置の製造方法であって、
前記台座の一面側に、前記台座の開口部を底部とする凹部が形成されるような傾斜面を形成し、
前記配置片を前記傾斜面に沿って固定することにより、前記光源の光軸を前記台座の開口部の中心軸と交差させることを特徴とする撮像装置の製造方法。
【発明の詳細な説明】
【技術分野】
【０００１】
本発明は、例えば生体観察に用いられる撮像装置及び撮像装置の製造方法に関する。
【背景技術】
【０００２】
この種の分野の技術として、例えば特許文献１に記載の照明装置がある。この従来の照明装置は、複数のセグメントを構成する屈曲可能なプリント配線基板を保持枠の内部に取り付けて立体的なドーム形状を形成している。そして、各基板における光源の配設面の角度を調整することにより、所望の照度分布で被検査体に光を照射するようになっている。
【０００３】
また、特許文献２には、複数の励起発光ダイオードが、カメラの前方において、イメージピックアップ光軸を基準とした照明中心軸の角度が各々互いに相違するように配置された光学診断装置が開示されている。特許文献３には、半球型のフードの内側に複数の光源が設けられ、その上部に観察用窓部を備えた観察用装置が開示されている。この装置では、ポリウレタン等の弾性材料によってフードを形成している。特許文献４では、半球状の基板にＬＥＤアレイを配置した照明装置が開示されている。
【先行技術文献】
【特許文献】
【０００４】
【特許文献１】特開２００１−１５３８０８号公報
【特許文献２】特開２００８−１８３３９４号公報
【特許文献３】特開２００３−１９０１０３号公報
【特許文献４】特開平４−２４１４７６号公報
【発明の概要】
【発明が解決しようとする課題】
【０００５】
上述したような装置では、被撮像体に対して光源からの光を均一に照射する場合だけに限られず、特定の部位のみに光を照射する場合や、被撮像体と撮像手段との間の距離を変えて撮像を行う場合も想定される。そのため、装置における各光源の光軸を予め精度良く調整する必要があるが、複数の光源を個別に調整しようとすると、作業工程が複雑化したり、再現性が低下してしまうという問題がある。また、例えばＬＥＤを光源として用いる場合、使用によって光源に熱が溜まると出力の安定性が低下するおそれがあるため、光源の放熱を考慮する必要もある。
【０００６】
本発明は、上記課題の解決のためになされたものであり、光源の光軸調整が容易であると共に光源の放熱性に優れる撮像装置、及びこのような撮像装置の製造方法を提供することを目的とする。
【課題を解決するための手段】
【０００７】
上記課題の解決のため、本発明に係る撮像装置は、中心に開口部を有する放熱性の台座と、台座の一面側に配置され、台座の開口部と連通する開口部と、当該開口部周りに形成された配置片とを有する可撓性の基板と、配置片の一面側に配置され、被撮像体に向けて光を照射する光源と、開口部の中心軸と同軸に配置され、被撮像体からの光像を開口部の奥で撮像する撮像手段と、を備え、台座の一面側は、開口部を底部とする凹部が形成されるような傾斜面となっており、配置片が傾斜面に沿って固定されることにより、光源の光軸が開口部の中心軸と交差していることを特徴としている。
【０００８】
この撮像装置では、台座の一面側に傾斜面を形成し、光源が配置された可撓性の基板を台座の傾斜面に沿って固定することで、撮像手段の光軸と光源による照明位置とが調整されている。このように、各光源の光軸を個別に調整するのではなく、基板を傾斜面に沿わせることで光源の光軸を一度に調整することで、照明位置の調整が容易となる。また、光源で発生した熱が台座を通して放熱されるので、光源の放熱性にも優れたものとなる。
【０００９】
また、基板は、複数の配置片と、これらの配置片を開口部の縁で連結する連結部と、を有していることが好ましい。配置片が連結部で連結されることにより、各光源の制御回路等を共通化できるので、構成の簡単化が図られる。
【００１０】
また、台座は、角度の異なる複数の傾斜面を有していることが好ましい。これにより、傾斜面の角度のパターン数に応じて、撮像手段の光軸方向に対する光源の照明位置を複数設定することが可能となる。
【００１１】
また、角度の異なる傾斜面は、開口部周りに同心円状に配置されていることが好ましい。この場合、角度の異なる傾斜面を容易に形成できる。
【００１２】
また、角度の異なる傾斜面は、開口部周りに周方向に配置されていることが好ましい。この場合、角度の異なる傾斜面を容易に形成できる。
【００１３】
また、台座と基板とは、熱伝導性を有する接着テープによって固定されていることが好ましい。これにより、基板と台座との間の熱伝導性が確保され、光源の熱を一層効率的に放熱できる。
【００１４】
また、撮像手段は、撮像を行う撮像素子と、撮像素子のフォーカスを調整するフォーカスレンズとを有し、フォーカスレンズの位置を検出するレンズ位置検出手段と、レンズ位置検出手段の検出結果に基づいて、角度の異なる傾斜面に配置された光源間のオン・オフを切り替える光源切替手段と、を備えたことが好ましい。これにより、撮像素子のフォーカスに合わせて光源の照明位置を切り替えることができ、操作性を向上できる。
【００１５】
また、本発明に係る撮像装置の製造方法は、中心に開口部を有する放熱性の台座と、台座の一面側に配置され、台座の開口部と連通する開口部と、当該開口部周りに形成された配置片とを有する可撓性の基板と、配置片の一面側に配置され、被撮像体に向けて光を照射する光源と、開口部の中心軸と同軸に配置され、被撮像体からの光像を開口部の奥で撮像する撮像手段と、を備えた撮像装置の製造方法であって、台座の一面側に、開口部を底部とする凹部が形成されるような傾斜面を形成し、配置片を傾斜面に沿って固定することにより、光源の光軸を開口部の中心軸と交差させることを特徴としている。
【００１６】
この撮像装置の製造方法では、台座の一面側に傾斜面を形成し、光源が配置された可撓性の基板を台座の傾斜面に沿って固定することで、撮像手段の光軸と光源による照明位置とを調整する。各光源の光軸をそれぞれ調整するのではなく、基板を傾斜面に沿わせることで光源の光軸を一度に調整するので、照明位置の調整が容易となる。また、光源で発生した熱を台座を通して放熱できるので、光源の放熱性にも優れたものとなる。
【発明の効果】
【００１７】
本発明に係る撮像装置及び撮像装置の製造方法によれば、光源の光軸調整が容易であると共に光源の放熱性に優れる。
【図面の簡単な説明】
【００１８】
【図１】本発明に係る撮像装置の一実施形態を示す図である。
【図２】撮像装置に内蔵される台座を示す図である。
【図３】基板及び光源を展開状態で示す図である。
【図４】図１に示した撮像装置の製造工程を示す図である。
【図５】台座の変形例を示す図である。
【図６】台座の更なる変形例を示す図である。
【図７】基板の変形例を示す図である。
【図８】台座の傾斜面の変形例を示す図である。
【発明を実施するための形態】
【００１９】
以下、図面を参照しながら、本発明に係る撮像装置及び撮像装置の製造方法の好適な実施形態について詳細に説明する。
【００２０】
図１は、本発明に係る撮像装置の一実施形態を示す図である。同図に示すように、撮像装置１は、筐体２と、台座３と、基板４と、光源５と、撮像部（撮像手段）６とによって構成されている。この撮像装置１は、例えば組織表面下に存在するリンパ節やリンパ管、血管、細胞などを含む被撮像体Ｓに対して所定波長の励起光を照射し、これに応じて被撮像体Ｓから発せられる蛍光像を観察することによって、組織表面下の画像を取得する装置として構成されている。このような画像取得においては、例えば予め被撮像体Ｓに蛍光色素などの色素や光増感剤、バイオマーカーを注入し、リンパ節などに蓄積させる。蛍光色素などの色素や光増感剤、バイオマーカーの例としては、インドシアニングリーンやインドシアニンブルー、５ＡＬＡ、メチレンブルー、フルオレセイン、レザフリン、フォトフリン、パテントブルー、インジコカルミン、Ｑｄｏｔ（登録商標）、Ｇｅｎｈａｎｃｅ（登録商標）などが挙げられる。
【００２１】
筐体２は、例えばアルミ、銅、マグネシウム、鉄などの放熱性に優れる金属等の部材によって略円筒形状に形成されている。筐体２の先端部２ａは、後端部２ｂに比べて大径となっており、その先端には円形の開口部２ｃが設けられている。また、開口部２ｃを覆うように、透明な窓部材７が取り付けられている。
【００２２】
台座３は、図２に示すように、筐体２と同様に、例えば金属などの放熱性に優れる部材によって形成されている。台座３は、略円盤状の支持体８と、円筒状の遮光壁９とを有している。台座３の中心には、被撮像体Ｓからの蛍光像を撮像部６に向けて通過させるための円形の開口部３ａが形成され、遮光壁９は、開口部３ａの縁部に形成されている。支持体８の一面側には、遮光壁９の周囲に円環状に配置された平面部１１と、平面部１１よりも外周側に同心円状に配置された傾斜面１２とが形成されている。平面部１１の任意の箇所には、光源５を制御するための信号線を接続するコネクタ（不図示）が形成されている。遮光壁９の先端には、黒色で柔軟性のある遮光部材（不図示）が設けられており、この遮光部材を介して窓部材７と接している。
【００２３】
傾斜面１２は、開口部３ａの中心側から順に互いに角度が異なる傾斜面１２ａ，１２ｂとなっており、傾斜面１２ｂは、傾斜面１２ａよりも傾斜角度が大きくなっている。また、傾斜面１２ｂは、傾斜面１２ａよりも窓部材７に近くなっている。これにより、台座３の一面側には、開口部３ａを底部とするような凹部が形成されている。台座３の外周部は、筐体２の先端部２ａ内に配置され、例えばエポキシ系などの熱伝導性を有する接着剤、熱伝導性を有する両面テープを用いた接着、或いはネジ止め等によって筐体２に対して強固に固定されている。なお、熱伝導性を有するグリースを台座３と筐体２との間に塗布してもよい。
【００２４】
基板４は、例えばフレキシブル基板やメンブレン基板といった可撓性を有する基板である。基板４には、光源５用の回路パターン、光源５の取付用ランド、外部配線用コネクタランド等が適宜設けられている。この基板４は、図３に示すように、台座３の径よりも大径で略円盤状に形成されている。基板４の中心には、台座３の開口部３ａの径よりも大径の開口部４ａが形成されている。
【００２５】
この基板４には、開口部４ａの周りに所定の角度毎に複数の切込部２１が形成されている。切込部２１は、開口部４ａの中心に向かって凸となる略三角形状をなしており、切込部２１の先端から開口部４ａの縁までの間隔が台座３の平面部１１の幅と概ね一致するようになっている。このような切込部２１の形成により、基板４の切込部２１，２１間には、光源５を配置するための複数の配置片２２が形成されている。この配置片２２は、開口部４ａの周りに所定の間隔で形成されている。また、切込部２１が開口部４ａに達しないことにより、開口部４ａの縁には、各配置片２２同士を連結する連結部２３が形成されている。なお、切込部２１は、略三角形状に限らず、略長方形状であってもよい。
【００２６】
光源５は、カラー画像用の白色光源５ａと、近距離用の第１の励起光源５ｂと、遠距離用の第２の励起光源５ｃとを含んで構成されている。白色光源５ａは、例えば白色発光ダイオード等であり、基板４の連結部２３において、切込部２１の先端と開口部４ａとの間の位置にそれぞれ環状に配置されている。
【００２７】
第１の励起光源５ｂ及び第２の励起光源５ｃは、例えば発光ダイオード（ＬＥＤ）や半導体レーザ（ＬＤ）等であり、被撮像体Ｓに注入される蛍光色素を励起可能な波長のものが選択される。蛍光色素として、上述したインドシアニングリーンを用いる場合、その光吸収帯域は近赤外波長帯域であり、その波長帯域内の波長（例えば波長７６０ｎｍ）の光源が用いられる。第１の励起光源５ｂは、配置片２２の基端側にそれぞれ複数個が面実装され、全体として開口部４ａ周りに環状に配置されている。また、第２の励起光源５ｃは、配置片２２の先端側にそれぞれ複数個が面実装され、全体として開口部４ａ周りに環状に配置されている。なお、第１の励起光源５ｂと第２の励起光源５ｃは、同じ波長帯の光源でもよいし、異なる波長帯の光源でもよい。
【００２８】
基板４を台座３に取り付けるにあたっては、図４（ａ）に示すように、光源５が配置された基板４と台座３とをそれぞれ準備する。そして、開口部３ａ，４ａ同士が連通すると共に、連結部２３が平面部１１に一致し、かつ配置片２２が傾斜面１２に一致するように位置合わせした状態で、例えば放熱性を有する両面テープ、もしくはエポキシ系などの熱伝導性を有する接着剤等によって基板４を台座３の一面側に沿わせながら密着固定する。このとき、基板４は可撓性を有し、かつ切込部２１が存在するため、図４（ｂ）に示すように、各配置片２２は、白色光源５ａの近傍が平面部１１に追従し、第１の励起光源５ｂの近傍が傾斜面１２ａの傾斜角度に追従して傾斜し、第２の励起光源５ｃの近傍が傾斜面１２ｂの傾斜角度に追従して傾斜する。
【００２９】
そして、傾斜面１２ａおよび傾斜面１２ｂの傾斜によって、各配置片２２が傾斜し、図１に示すように、第１の励起光源５ｂの光軸が撮像部６から見て近距離側で開口部３ａの中心軸Ｌと交差して第１の照明位置Ｐ１を形成し、第２の励起光源５ｃの光軸が撮像部６から見て遠距離側で開口部３ａの中心軸Ｌと交差して第２の照明位置Ｐ２を形成することとなる。
【００３０】
撮像部６は、撮像を行う撮像素子３１と、撮像素子３１のフォーカスを調整するフォーカスレンズ３２とを含んで構成され、その光軸が台座３における開口部３ａの中心軸Ｌと一致するように、筐体２において台座３の奥側に配置されている。撮像素子３１は、例えば２次元画像を取得可能なＣＣＤセンサやＣＭＯＳセンサが用いられる。この撮像装置１においては、蛍光像の波長帯域に対して高い感度を有する素子を用いることが好ましい。
【００３１】
また、フォーカスレンズ３２には、例えばレンズマウント等の駆動手段が設けられている。この駆動手段によってフォーカスレンズ３２が中心軸Ｌに沿う方向に駆動することにより、撮像部６のフォーカスを動かすことが可能となっている。撮像素子３１の光軸に対するフォーカスレンズ３２の位置は、レンズ位置検出部（レンズ位置検出手段）３３によって検出され、検出結果を含む信号が調整装置４１に出力される。なお、駆動手段としては、ステッピングモータ等を用いてもよい。
【００３２】
撮像装置１は、図１に示すように、出力する観察画像を調整する調整装置４１を備えている。この調整装置４１は、撮像装置１から出力された観察画像の画像データを自動又は手動にて調整する装置である。調整装置４１は、機能的な構成要素として、調整指示部４２と、輝度調整部４３と、コントラスト調整部４４と、光源切替部（光源切替手段）４５とを有している。
【００３３】
調整指示部４２は、自動又はユーザからの入力に応じて観察画像の調整条件を設定する部分である。輝度調整部４３は、設定した条件に応じて輝度調整部４３及びコントラスト調整部４４に指示を行い、輝度調整部４３及びコントラスト調整部４４は、それぞれ観察画像の輝度及びコントラストを調整する。
【００３４】
また、調整指示部４２は、レンズ位置検出部３３からの信号を受信し、撮像部６のフォーカスが第１の照明位置Ｐ１と第２の照明位置Ｐ２とのいずれに近いかを判断する。そして、調整指示部４２は、フォーカスに近い方の照明位置を形成する光源５をオンとし、フォーカスに遠い方の照明位置を形成する光源５をオフとする旨の指示信号を光源切替部４５に出力する。光源切替部４５は、受信した指示信号に応じて、角度の異なる傾斜面１２ａ，１２ｂに配置された第１の励起光源５ｂ及び第２の励起光源５ｃ間のオン・オフの切り替えを行う。
【００３５】
なお、調整条件が固定の場合や、光源５のオン・オフ切り替えが不要な場合には、このような調整指示部４２は設けなくてもよい。また、撮像装置１から調整装置４１への画像データの伝送は、有線方式であっても無線方式であってもよい。
【００３６】
また、調整装置４１には、画像表示装置４６と、画像記録装置４７とが接続されている。画像表示装置４６は、調整装置４１で調整された観察画像を表示部４８に表示させる。画像表示装置４６としては、例えばＣＲＴモニタや、撮像部６に取り付けられた液晶ディスプレイ等を用いることができる。画像記録装置４７は、調整装置４１で調整された観察画像のデータを記録する装置である。画像記録装置４７としては、例えばビデオテープレコーダ等を用いることができる。
【００３７】
以上説明したように、撮像装置１では、台座３の一面側に傾斜面１２を形成し、光源５が配置された可撓性の基板４を台座３の傾斜面１２に沿って固定することで、撮像部６の光軸と光源５による照明位置とが調整されている。このように、各光源５の光軸を個別に調整するのではなく、基板４を台座３の傾斜面１２に沿わせることで光源５の光軸を一度に調整することで、照明位置の調整が容易となる。また、光源５で発生した熱が台座３を通して放熱されるので、光源５の放熱性にも優れたものとなる。これにより、光源５の出力安定性が良好に保たれる。
【００３８】
また、基板４には、切込部２１の形成によって、複数の配置片２２と、これらの配置片２２を開口部４ａの縁で連結する連結部２３とが形成されている。配置片２２が連結部２３で連結されることにより、各光源５の制御回路等を共通化できるので、撮像装置１の構成の簡単化が図られる。
【００３９】
また、台座３には、角度の異なる複数の傾斜面１２ａ，１２ｂが形成され、各傾斜面１２ａ，１２ｂにそれぞれ近距離用の第１の励起光源５ｂと、遠距離用の第２の励起光源５ｃとが配置されている。このような傾斜面１２の形成により、傾斜面１２の角度のパターン数に応じて、撮像部６の光軸方向に対する光源５の照明位置を複数設定することが可能となる。本実施形態では、角度の異なる傾斜面１２ａ，１２ｂが、開口部３ａ周りに同心円状に配置されており、角度の異なる傾斜面１２を容易に形成できる。
【００４０】
また、撮像装置１では、台座３と基板４とが、熱伝導性を有する両面接着テープによって固定されており、台座３の外周部が熱伝導性の接着剤によって筐体２に固定されている。これにより、基板４から台座３を通って筐体２に至る熱伝導性が確保され、光源５の熱を一層効率的に放熱できる。また、台座３と基板４とを両面接着テープによって接着することで、接着剤を用いる場合に比べて、台座３と基板とを均一に（凹凸を抑えて）接着できる。
【００４１】
さらに、撮像部６は、撮像を行う撮像素子３１と、撮像素子３１のフォーカスを調整するフォーカスレンズ３２とを有し、撮像装置１は、フォーカスレンズ３２の位置を検出するレンズ位置検出部３３と、レンズ位置検出部３３の検出結果に基づいて、角度の異なる傾斜面１２に配置された光源５間のオン・オフを切り替える光源切替部４５と、を備えている。これにより、撮像素子３１のフォーカスに合わせて光源５の照明位置を切り替えることができ、操作性を向上できる。
【００４２】
また、台座３には、遮光壁９が形成され、遮光壁９の先端と窓部材７との間に遮光部材が介在している。これにより、光源５から照射された光が窓部材５に反射して、撮像部６に入射されることを防止できる。さらに、遮光壁９の周りに平面部１１が形成され、平面部１１の外側に傾斜面１２が形成されている。これにより、傾斜面１２上に配置された光源５からの光が遮光壁９に直接照射されることを抑制できる。
【００４３】
また、傾斜面１２は、互いに傾斜角度が異なる傾斜面１２ａ，１２ｂを有しており、遮光壁９から遠い傾斜面１２ｂの傾斜角度が、遮光壁９に近い傾斜面１２ａの傾斜角度よりも大きくなっている。これにより、光源５からの光が遮光壁９に直接照射されることを一層抑制できる。
【００４４】
また、撮像装置１では、窓部材７から遠い傾斜面１２ａ上に近距離用の第１の励起光源５ｂが配置され、窓部材７に近い傾斜面１２ｂ上に遠距離用の第２の励起光源５ｃが配置されている。これにより、第１の励起光源５ｂから照明位置Ｐ１まで距離と、第２の励起光源５ｃから照明位置Ｐ２まで距離が同程度となるため、照明位置Ｐ１での照明強度と照明位置Ｐ２の照明強度を同程度にすることができる。ただし、この構成に限らず、窓部材７に近い傾斜面１２ｂ上に近距離用の第１の励起光源５ｂを配置し、窓部材７から遠い傾斜面１２ａ上に遠距離用の第２の励起光源５ｃを配置してもよい。
【００４５】
また、撮像装置１では、台座３において傾斜面１２ａの外側に傾斜面１２ｂを同心円状に設け、傾斜面１２ａ上に近距離用の第１の励起光源５ｂを配置し、傾斜面１２ｂ上に遠距離用の第２の励起光源５ｃを配置している。このように、より面積の大きい傾斜面１２ｂに遠距離用の第２の励起光源５ｃを多く配置することで、第２の照明位置Ｐ２での照明強度を確保できる。
【００４６】
本発明は、上記実施形態に限られるものではない。例えば上記実施形態では、台座３の一面側に、平面部１１と傾斜面１２ａ，１２ｂとを同心円状に設けているが、傾斜面１２の角度パターンは仕様に応じて適宜変更可能であり、図５（ａ）に示すように、台座３Ａに１種類の傾斜面１２ｃのみを設けてもよく、図５（ｂ）に示すように、台座３Ｂに平面部１１と３種類の傾斜面１２ｄ，１２ｅ，１２ｆとを同心円状に設けてもよい。
【００４７】
また、傾斜面１２の配置パターンは、同心円状に限られず、図６（ａ）に示すように、傾斜面１２が開口部３ａ周りに周方向に配置された台座３Ｃを用いてもよい。図６（ａ）に示す例では、角度の異なる２種類の傾斜面１２ｇ，１２ｈを設けているが、角度パターンを更に増やしてもよく、開口部３ａ周りに平面部１１と同様の平面部を設けてもよい。
【００４８】
更に、図６（ｂ）に示すように、台座３Ｄを扁平な円盤状とし、開口部３ａ周りに所定の位相角をもって複数の切込部２１を形成して台座片５１を設け、各台座片５１の基端部にヒンジ５２を取り付けて任意の角度に傾斜可能としてもよい。このような構成では、台座片５１の角度調整によって台座３に固定される基板４の配置片２２の傾斜角度を調整できるので、光源５の照明位置を自在に調整することが可能となる。なお、各台座片５１において、ヒンジ５２よりも中心側の部分は平面部１１としてもよい。
【００４９】
一方、可撓性の基板４の形状も種々の変形を適用できる。例えば図７（ａ）に示すように、切込部２１を任意の１箇所に開口部４ａまで到達するように形成し、一繋がりの配置片２２を有する基板４Ａを用いてもよく、図７（ｂ）に示すように、開口部４ａ周りに複数の配置片２２を形成した基板４Ｂ，４Ｂ同士を重ね合わせて図３と同様の平面形状をなす基板を構成してもよい。
【００５０】
また、上記実施形態では、台座３において、外周側の傾斜面１２ｂの傾斜角度が開口部３ａ側の傾斜面１２ａの傾斜角度よりも大きくなっているが、図８に示すように、開口部３ａ側の傾斜面１２ａの傾斜角度が外周側の傾斜面１２ｂの傾斜角度よりも大きくなっていてもよい。この場合、傾斜角度の小さい傾斜面１２ａに近距離用の第１の励起光源５ｂを配置し、傾斜角度の大きい傾斜面１２ｂに遠距離用の第２の励起光源５ｃを配置することで、第１の照射位置Ｐ１及び第２の照明位置Ｐ２の双方に光を照射易くなる。ただし、傾斜面１２ａに遠距離用の第２の励起光源５ｃを配置し、傾斜面１２ｂに近距離用の第１の励起光源５ｂを配置してもよい。
【００５１】
なお、本実施形態では、蛍光観察用の撮像装置を例示したが、本発明に係る撮像装置は、蛍光観察用に限られるものではなく、例えば発光観察、吸収光観察、及び反射光観察といった他の用途にも適用することができる。
【符号の説明】
【００５２】
１…撮像装置、３，３Ａ〜３Ｄ…台座、３ａ…開口部、４，４Ａ，４Ｂ…基板、４ａ…開口部、５（５ａ〜５ｃ）…光源、６…撮像部（撮像手段）、１２（１２ａ〜１２ｈ）…傾斜面、２２…配置片、２３…連結部、３１…撮像素子、３２…フォーカスレンズ、３３…レンズ位置検出部（レンズ位置検出手段）、Ｌ…中心軸、Ｓ…被撮像体。
【図１】
0005947553.tif 000002
【図２】
0005947553.tif 000003
【図３】
0005947553.tif 000004
【図４】
0005947553.tif 000005
【図５】
0005947553.tif 000006
【図６】
0005947553.tif 000007
【図７】
0005947553.tif 000008
【図８】
0005947553.tif 000009